(57)【要約】【課題】施工者がペアリングの完了について誤認してしまうことを抑制することができる便器洗浄装置を提供することを目的とする。【解決手段】便器洗浄装置１００は、電源投入時にモータ１１５を駆動させることで操作レバー１１３を自動回動させる電源投入時工程と、洗浄スイッチ１３０とモータ１１５とのペアリングが完了したときにモータ１１５を駆動させることで操作レバー１１３を自動回動させるペアリング時工程と、を有し、電源投入時工程とペアリング時工程とで操作レバー１１３の回動形態を異ならせ、且つ、電源投入時工程の途中においてペアリングが完了した場合は電源投入時工程が終了した後にペアリング時工程を実施する。【選択図】図４
2019127727.tif 000002
【特許請求の範囲】
【請求項１】
便器本体へ洗浄水を供給して便器洗浄を行なう便器洗浄装置において、
洗浄水を貯留するタンク本体と、前記タンク本体に設けられて回動可能な操作レバーと、自身の駆動を前記操作レバーに連動させて前記操作レバーを自動回動させるモータと、前記操作レバーの回動に応じて前記タンク本体内の洗浄水を前記便器本体へ供給する排水装置と、を有する洗浄水タンク装置と、
前記モータの駆動を制御する制御手段と、
前記操作レバーを自動回動させるように前記制御手段へ指示する自動洗浄指示手段と、
を備えており、
前記制御手段は、電源投入時に前記モータを駆動させることで前記操作レバーを自動回動させる電源投入時工程と、前記自動洗浄指示手段と前記モータとのペアリングが完了したときに前記モータを駆動させることで前記操作レバーを自動回動させるペアリング時工程と、を有し、前記電源投入時工程と前記ペアリング時工程とで前記操作レバーの回動形態を異ならせ、且つ、前記電源投入時工程の途中において前記ペアリングが完了した場合は前記電源投入時工程が終了した後に前記ペアリング時工程を実施する便器洗浄装置。
【請求項２】
前記制御手段は、前記電源投入時工程においては前記モータを正転駆動させることで前記操作レバーを一方向に自動回動させ、前記ペアリング時工程においては前記モータを反転駆動させることで前記操作レバーを他方向に自動回動させる請求項１に記載の便器洗浄装置。
【請求項３】
前記洗浄水タンク装置は、前記操作レバーが一方向に回動したときには前記タンク本体から前記便器本体へ所定水量の洗浄水を供給する大洗浄を実施し、前記操作レバーが他方向に回動したときには前記タンク本体から前記便器本体へ前記大洗浄よりも少ない量の洗浄水を供給する小洗浄を実施する請求項２に記載の便器洗浄装置。
【請求項４】
前記制御手段は、前記電源投入時工程においては前記モータを駆動させて前記操作レバーを一方向に第１所定量だけ自動回動させ、前記ペアリング時工程においては前記モータを駆動させて前記操作レバーを一方向に前記第１所定量よりも少ない第２所定量だけ自動回動させ、
前記洗浄水タンク装置は、前記操作レバーが一方向に回動したときに前記第２所定量よりも多い量回動した場合、前記便器本体への洗浄水の供給を開始する請求項１に記載の便器洗浄装置。
【発明の詳細な説明】
【技術分野】
【０００１】
本発明は、便器本体へ洗浄水を供給して便器洗浄を行なう便器洗浄装置に関する。
【背景技術】
【０００２】
従来から、洗浄水を貯留する洗浄水タンク装置に操作レバーが設けられ、操作レバーを手動もしくは自動で回動させることで洗浄水タンク装置から便器本体へ洗浄水を供給して便器洗浄を行なう便器洗浄装置が知られている（例えば、特許文献１参照）。
このような便器洗浄装置においては、操作レバーの回動操作を手動操作もしくは自動操作のどちらで行なうかを使用者が選択することができるため使い勝手が良い。また、万が一、操作レバーの自動操作が正常に行なわれなかったとしても、操作レバーを手動操作することによって便器洗浄を行なうことができる。
【先行技術文献】
【特許文献】
【０００３】
【特許文献１】特開２００５−３６６３４号公報
【発明の概要】
【発明が解決しようとする課題】
【０００４】
上述したような便器洗浄装置は、便器施行時において、まず電源が投入されたときにモータを正転させ、このモータの正転駆動に連動して操作レバーが回動することで、施工者は電源が投入されたときにモータが正常に動作したことを認識することができる。
その後、操作レバーを手動で回動させる方法以外の洗浄開始トリガー（例えば、トイレルーム内に設けられた洗浄開始ボタンの操作）と操作レバーの回動を同期させるためのペアリング作業を行い、ペアリングが完了したときにモータを正転させ、このモータの正転駆動に連動して操作レバーが回動することで、施工者はペアリングが完了したことを認識することができる。
このように、電源投入時のモータ駆動とペアリング完了時のモータ駆動とを行なうことで、仮にどちらかが正常に動作しなかった場合、施工者はモータに異常があるのか、ペアリングに異常があるのかを察知することができ、異常の原因を認識することができる。
【０００５】
一方で、上述したような仕様にした場合、便器施行時においては電源投入時の操作レバーの自動回動が行われている途中でペアリングが完了することもあり、その場合にはモータ駆動が１度しか行なわれず、施工者がペアリングの完了を認識することができないおそれがある。そうすると、施工者はペアリングが完了しているにも関わらず、ペアリングに異常があると誤認してしまうおそれがある。
反対に、ペアリングが完了していないにも関わらず、電源投入時の操作レバーの自動回動が行われている途中でペアリングが完了したと施工者が誤認してしまい、結果としてペアリングが未完了のまま施行作業を終えてしまうおそれがある。その場合、使用者がトイレルーム内の洗浄開始ボタンを押しても、モータが駆動しないため便器洗浄が行なわれない。
【０００６】
本発明は、上述した問題を解決するためになされたものであり、施工者がペアリングの完了について誤認してしまうことを抑制することができる便器洗浄装置を提供することを目的とする。
【課題を解決するための手段】
【０００７】
本発明の一態様に係る便器洗浄装置は、便器本体へ洗浄水を供給して便器洗浄を行なう便器洗浄装置において、洗浄水を貯留するタンク本体と、前記タンク本体に設けられて回動可能な操作レバーと、自身の駆動を前記操作レバーに連動させて前記操作レバーを自動回動させるモータと、前記操作レバーの回動に応じて前記タンク本体内の洗浄水を前記便器本体へ供給する排水装置と、を有する洗浄水タンク装置と、前記モータの駆動を制御する制御手段と、前記操作レバーを自動回動させるように前記制御手段へ指示する自動洗浄指示手段と、を備えており、前記制御手段は、電源投入時に前記モータを駆動させることで前記操作レバーを自動回動させる電源投入時工程と、前記自動洗浄指示手段と前記モータとのペアリングが完了したときに前記モータを駆動させることで前記操作レバーを自動回動させるペアリング時工程と、を有し、前記電源投入時工程と前記ペアリング時工程とで前記操作レバーの回動形態を異ならせ、且つ、前記電源投入時工程の途中において前記ペアリングが完了した場合は前記電源投入時工程が終了した後に前記ペアリング時工程を実施する。
【０００８】
この構成によれば、施工者は、電源投入時工程における操作レバーの回動動作をペアリング完了による操作レバーの回動動作と誤認してしまうことを防ぐことができるとともに、ペアリングが完了したかどうかについて確実に認識することができ、ペアリングの完了について誤認してしまうことを抑制することができる。
【０００９】
本発明の一態様に係る便器洗浄装置において、好ましくは、前記制御手段は、前記電源投入時工程においては前記モータを正転駆動させることで前記操作レバーを一方向に自動回動させ、前記ペアリング時工程においては前記モータを反転駆動させることで前記操作レバーを他方向に自動回動させる。
【００１０】
この構成によれば、施工者は、電源投入時工程における操作レバーの回動動作をペアリング完了による操作レバーの回動動作と誤認してしまうことを防ぐことができるとともに、ペアリングが完了したかどうかについて確実に認識することができ、ペアリングの完了について誤認してしまうことを抑制することができる。
【００１１】
本発明の一態様に係る便器洗浄装置において、好ましくは、前記洗浄水タンク装置は、前記操作レバーが一方向に回動したときには前記タンク本体から前記便器本体へ所定水量の洗浄水を供給する大洗浄を実施し、前記操作レバーが他方向に回動したときには前記タンク本体から前記便器本体へ前記大洗浄よりも少ない量の洗浄水を供給する小洗浄を実施する。
【００１２】
この構成によれば、ペアリングの完了について誤認してしまうことを抑制することができるとともに、便器施行作業と同時に便器洗浄動作の確認も行なうことができる。
【００１３】
本発明の一態様に係る便器洗浄装置において、好ましくは、前記制御手段は、前記電源投入時工程においては前記モータを駆動させて前記操作レバーを一方向に第１所定量だけ自動回動させ、前記ペアリング時工程においては前記モータを駆動させて前記操作レバーを一方向に前記第１所定量よりも少ない第２所定量だけ自動回動させ、前記洗浄水タンク装置は、前記操作レバーが一方向に回動したときに前記第２所定量よりも多い量回動した場合、前記便器本体への洗浄水の供給を開始する。
【００１４】
この構成によれば、ペアリングの完了について誤認してしまうことを抑制することができるとともに、便器施行作業と同時に便器洗浄動作の確認も行なうことができ、且つ便器洗浄動作の確認における洗浄水の浪費を抑制することができる。
【発明の効果】
【００１５】
本発明の便器洗浄装置によれば、施工者がペアリングの完了について誤認してしまうことを抑制することができる。
【図面の簡単な説明】
【００１６】
【図１】本発明の一実施形態による便器洗浄装置が適用された水洗大便器を示す斜視図である。
【図２】本発明の一実施形態による便器洗浄装置のシステムブロック図である。
【図３】本発明の一実施形態による便器洗浄装置の便器施行作業時のフローチャートである。
【図４】本発明の一実施形態による便器洗浄装置のタイムチャートの一例である。
【図５】本発明の変形例による便器洗浄装置の操作レバーの正面視図である。
【発明を実施するための形態】
【００１７】
以下、本発明の実施の形態について添付図面を参照しながら説明する。なお、各図面中、同様の構成要素には同一の符号を付して詳細な説明は適宜省略する。
【００１８】
＜水洗大便器の構成＞
まず、図１、２により、本発明の一実施形態による便器洗浄装置について説明する。
図１は、本発明の一実施形態による便器洗浄装置が適用された水洗大便器を示す斜視図である。図２は、本発明の一実施形態による便器洗浄装置のシステムブロック図である。
【００１９】
図１、２に示すように、本発明の一実施形態による水洗大便器１は、便器本体１０と、便器本体１０へ洗浄水を供給して便器洗浄を行なう便器洗浄装置１００と、を備える。便器洗浄装置１００は、洗浄水タンク装置１１０と、制御手段１２０と、自動洗浄指示手段としての洗浄スイッチ１３０と、を有する。
【００２０】
洗浄水タンク装置１１０は、便器本体１０の後部上面に載置されて洗浄水を貯留するタンク本体１１１と、タンク本体１１１の外側側面において回動可能に取り付けられた操作レバー１１３と、自身の駆動を操作レバー１１３に連動させて操作レバー１１３を自動回動させるモータ１１５と、操作レバー１１３の回動に応じてタンク本体１１１内の洗浄水を便器本体１０へ供給する排水装置１１７と、を有する。
【００２１】
操作レバー１１３は、使用者による手動操作、もしくはモータ１１５が駆動することによる自動操作のどちらかによって回動させることができる。操作レバー１１３が一方向（時計回り）に回動したときは、排水装置１１７が動作してタンク本体１１１から便器本体１０へ所定水量の洗浄水を供給する大洗浄が実施される。操作レバー１１３が他方向（反時計回り）に回動したときは、排水装置１１７が動作してタンク本体１１１から便器本体１０へ大洗浄よりも少ない量の洗浄水を供給する小洗浄が実施される。
【００２２】
モータ１１５は、タンク本体１１１内に設けられており、モータ１１５の駆動に連動して操作レバー１１３が自動回動する。モータ１１５は、正転駆動および反転駆動が可能であり、正転駆動したときには操作レバー１１３が一方向（時計回り）に自動回動するように操作レバー１１３を連動させ、反転駆動したときには操作レバー１１３が他方向（反時計回り）に自動回動するように操作レバー１１３を連動させる。
【００２３】
排水装置１１７は、タンク本体１１１内の底部に設けられ、操作レバー１１３の回動に応じてタンク本体１１１から便器本体１０への洗浄水の供給を制御する。
【００２４】
制御手段１２０は、送られてきた信号に基づいてモータ１１５の駆動制御を行うことで操作レバー１１３の自動回動制御を行い、便器洗浄の制御を行なう。
【００２５】
洗浄スイッチ１３０は、トイレルームの壁面に設けられ、操作されると操作レバー１１３を自動回動させるように制御手段１２０へ信号を送って指示する。操作スイッチ１３０からの信号を受け取った制御手段１２０は、モータ１１５を駆動させることで操作レバー１１３を自動回動させ、排水装置１１７を作動させることで便器洗浄を行なう。
【００２６】
＜施行作業の工程＞
次に、図３、４により、本発明の一実施形態による便器洗浄装置が適用された水洗大便器の施行作業の工程について説明する。
図３は、本発明の一実施形態による便器洗浄装置の便器施行作業時のフローチャートである。図４は、本発明の一実施形態による便器洗浄装置のタイムチャートの一例である。
【００２７】
水洗大便器１を使用者が使用できる状態にするまでには、図３に示すような便器施行作業が必要である。
まず始めに、トイレルーム内への便器本体１０および便器洗浄装置１００の設置・取付を完了させる（ステップＳ１００）。その後、制御手段１２０に繋がれた電源プラグ１４０をコンセントＣに挿し込み、電源投入を行なう（ステップＳ１０１）。ステップＳ１０１において電源投入が正常に行なわれた場合は、モータ１１５が正転駆動することで操作レバー１１３が一方向（時計回り）に自動回動する（ステップＳ１０２、１０３）。このとき、操作レバー１１３の一方向（時計回り）への自動回動によって大洗浄も同時に実施される。これにより、施工者は電源投入が正常に行なわれたことを視認できるとともに、実際に便器洗浄が行なわれることで同時に便器洗浄の大洗浄の動作確認を行なうこともできる。
【００２８】
ステップＳ１０１〜１０３において電源投入時工程を行なった後に、施工者は、洗浄スイッチ１３０が操作されたときにモータ１１５が駆動するようにペアリング作業を行なう（ステップＳ１０４）。ステップＳ１０４において洗浄スイッチ１３０とモータ１１５とのペアリングが正常に行なわれた場合は、モータ１１５が反転駆動することで操作レバー１１３が他方向（反時計回り）に自動回動する（ステップＳ１０５、１０６）。このとき、操作レバー１１３の他方向（反時計回り）への自動回動によって小洗浄も同時に実施される。これにより、施工者は洗浄スイッチ１３０とモータ１１５とのペアリングが正常に行なわれたことを視認できるとともに、実際に便器洗浄が行なわれることで同時に便器洗浄の小洗浄の動作確認を行なうこともできる。
こうして、ステップＳ１０１〜１０３における電源投入時工程と、ステップＳ１０４〜１０６におけるペアリング時工程が完了することで、水洗大便器１の一連の便器施行作業が完了する。
【００２９】
次に、図４のタイムチャートを用いて、電源投入時工程の途中においてペアリングが完了した場合について説明する。
【００３０】
まず、時刻ｔ１において電源が投入されたとき、モータ１１５は正転駆動する。これにより、操作レバー１１３が一方向（時計回り）に回動するとともに、便器洗浄において大洗浄が開始される。
【００３１】
次に、時刻ｔ２において、モータ１１５の正転駆動が終了する前に（電源投入時工程の途中で）ペアリング作業が完了する。このとき、操作レバー１１３、モータ１１５、および便器洗浄は行なっている途中の動作を継続して実行する。その後、時刻ｔ３において、操作レバー１１３の回動動作およびモータ１１５の駆動動作が完了する。
【００３２】
時刻ｔ４において、時刻ｔ１から実行していた大洗浄が完了する。このとき、タンク本体１１１内には便器洗浄を行なうための十分な量の洗浄水が貯留されていないため、時刻ｔ４から時刻ｔ５にかけてタンク本体１１１内に洗浄水を貯留する。
【００３３】
そして、時刻ｔ５において、モータ１１５が反転駆動する。これは、時刻ｔ２におけるペアリング作業の完了に伴う動作である。このモータ１１５の反転駆動により、操作レバー１１３が他方向（反時計回り）に回動するとともに、便器洗浄において小洗浄が開始される。
【００３４】
そして時刻ｔ６において、操作レバー１１３の回動動作およびモータ１１５の駆動動作が完了する。その後、時刻ｔ７において、時刻ｔ５から実行していた小洗浄が完了する。
【００３５】
＜作用効果＞
つぎに、上述した本発明の一実施形態による便器洗浄装置１００における作用効果について説明する。
便器洗浄装置１００は、電源投入時にモータ１１５を駆動させることで操作レバー１１３を自動回動させる電源投入時工程と、洗浄スイッチ１３０とモータ１１５とのペアリングが完了したときにモータ１１５を駆動させることで操作レバー１１３を自動回動させるペアリング時工程と、を有し、電源投入時工程とペアリング時工程とで操作レバー１１３の回動形態を異ならせ、且つ、電源投入時工程の途中においてペアリングが完了した場合は電源投入時工程が終了した後にペアリング時工程を実施する。これにより、施工者は、電源投入時工程における操作レバー１１３の回動動作をペアリング完了による操作レバー１１３の回動動作と誤認してしまうことを防ぐことができるとともに、ペアリングが完了したかどうかについて確実に認識することができ、ペアリングの完了について誤認してしまうことを抑制することができる。
【００３６】
また、便器洗浄装置１００は、電源投入時工程においてはモータ１１５を正転駆動させることで操作レバー１１３を一方向（時計回り）に自動回動させるとともに大洗浄を実施し、ペアリング時工程においてはモータ１１５を反転駆動させることで操作レバー１１３を他方向（反時計回り）に自動回動させるとともに小洗浄を実施する。これにより、ペアリングの完了について誤認してしまうことを抑制することができるとともに、便器施行作業と同時に便器洗浄動作の確認も行なうことができる。
【００３７】
以上、本願の開示する技術の実施形態について説明したが、本願の開示する技術は、上記に限定されるものではない。
【００３８】
上述した一実施形態においては、電源投入時工程においてはモータ１１５を正転駆動させることで操作レバー１１３を一方向（時計回り）に自動回動させ、ペアリング時工程においてはモータ１１５を反転駆動させることで操作レバー１１３を他方向（反時計回り）に自動回動させることで、電源投入時工程とペアリング時工程とで操作レバー１１３の回動形態を異ならせているが、本発明はこれに限らない。
例えば、図５に示すように、電源投入時工程においてはモータ１１５を正転駆動させて操作レバー１１３を一方向（時計回り）に第１所定量だけ自動回動させ、ペアリング時工程においてはモータ１１５を正転駆動させて操作レバー１１３を一方向（時計回り）に第１所定量よりも少ない第２所定量だけ自動回動させ、操作レバー１１３が一方向（時計回り）に回動したときに第２所定量よりも多い量回動した場合に便器洗浄を実施してもよい。これにより、電源投入時工程とペアリング時工程とでは回動量が異なるため施工者がペアリングの完了について誤認してしまうことを抑制することができる。また、ペアリング時工程においては便器洗浄を行なわない。これは電源投入時工程において既に便器洗浄の動作確認を実施しているため、後のペアリング時工程においては改めて便器洗浄の動作確認を行なう必要がないためである。したがって、洗浄水の浪費を抑制することができる。なお、反対に電源投入時工程において第２所定量だけ自動回動させ、ペアリング時工程において第１所定量だけ自動回動させることとしてもよい。
【００３９】
また、上述した一実施形態においては、自動洗浄指示手段をトイレルームの壁面に設けられた洗浄スイッチ１３０としたが、本発明はこれに限らず、自動洗浄指示手段として例えば便座に設けられた着座スイッチやトイレルーム内の人体を検知する人体検知センサであってもよい。
【００４０】
前述した各実施の形態が備える各要素は、技術的に可能な限りにおいて組み合わせることができ、これらを組み合わせたものも本発明の特徴を含む限り本発明の範囲に包含される。
【符号の説明】
【００４１】
１        水洗大便器
１０      便器本体
１００    便器洗浄装置
１１０    洗浄水タンク装置
１１１    タンク本体
１１３    操作レバー
１１５    モータ
１１７    排水装置
１２０    制御手段
１３０    洗浄スイッチ（自動洗浄指示手段）
１４０    電源プラグ
Ｃ        コンセント
【図１】
2019127727.tif 000003
【図２】
2019127727.tif 000004
【図３】
2019127727.tif 000005
【図４】
2019127727.tif 000006
【図５】
2019127727.tif 000007